(57)【要約】【課題】装置構成の複雑化を招くことなく印刷済み用紙の余白領域に画像を印刷することのできる画像形成装置を提供する。【解決手段】画像読取装置２１により読み取られた原稿画像をプリント用紙に印刷する機能を有する画像形成装置１０において、再利用紙を画像読取装置で読み取って得た画像から余白領域を検出してその情報を記憶した後（Ｐ１）、再利用紙を給紙トレイ２５にセットさせ（Ｐ２）、記憶されている余白領域の情報に基づいて再利用紙の余白領域を認識して、印刷対象の原稿画像を再利用紙の余白領域に収まるように縮小して印刷する（Ｐ３）。【選択図】図２
2010206524.tif 000002
【特許請求の範囲】
【請求項１】
画像読取装置により読み取られた原稿画像をプリント用紙に印刷する機能を有する画像形成装置において、
原稿画像を入力する原稿画像入力部と、
記憶部と、
制御部と、
を有し、
前記制御部は、前記画像読取装置により読み取られた用紙の画像の余白領域に関する情報である余白領域情報を検出して前記記憶部に記憶すると共に、前記原稿画像入力部により入力された原稿画像を、前記記憶部に記憶されている前記余白領域情報に基づいて前記用紙の余白領域に印刷するよう制御する
ことを特徴とする画像形成装置。
【請求項２】
前記原稿画像入力部は、前記画像読取装置から前記原稿画像を入力する
ことを特徴とする請求項１に記載の画像形成装置。
【請求項３】
前記原稿画像入力部は、ネットワークを介して外部機器から前記原稿画像を入力する
ことを特徴とする請求項１に記載の画像形成装置。
【請求項４】
前記制御部は、前記画像読取装置により読み取られた複数枚の用紙の頁毎に前記余白領域情報を検出して前記記憶部に記憶すると共に、前記原稿画像入力部により入力された複数枚の原稿画像の各頁に前記記憶部に記憶されている前記余白領域情報を順に割り当て、前記原稿画像の各頁をその頁に割り当てた余白領域情報が示す余白領域に印刷するよう制御する
ことを特徴とする請求項１または２に記載の画像形成装置。
【請求項５】
前記制御部は、前記原稿画像の頁毎に、その頁に割り当てられた前記余白領域情報の示す余白領域にその頁の原稿画像が収まる縮小率を算出する
ことを特徴とする請求項４に記載の画像形成装置。
【請求項６】
前記制御部は、算出された縮小率の中で最も高い縮小率を抽出し、その抽出した縮小率で前記原稿画像の全頁を縮小する
ことを特徴とする請求項５に記載の画像形成装置。
【請求項７】
前記制御部は、算出された縮小率が所定の縮小率を越える場合は、その頁に割り当てられた余白領域情報は使用せず、該余白領域情報に対応する用紙は印刷せずに所定のトレイに排紙するよう制御する
ことを特徴とする請求項５または６に記載の画像形成装置。
【請求項８】
前記画像読取装置で読み取られる用紙のセット状態を検出する検出部をさらに有し、
前記制御部は、余白領域情報の検出時に前記画像読取装置で読み取られる用紙のセット状態を前記検出部で検出し、該検出されたセット状態を示すセット情報を前記記憶部に記憶しておき、前記印刷時に給紙される用紙のセット状態と前記記憶部に記憶されている前記セット情報が示すセット状態とを比較する
ことを特徴とする請求項１乃至７のいずれか１項に記載の画像形成装置。
【請求項９】
前記セット状態を示す項目の１つに用紙の方向が含まれる
ことを特徴とする請求項８に記載の画像形成装置。
【請求項１０】
前記セット状態を示す項目の１つに用紙の表裏が含まれる
ことを特徴とする請求項８に記載の画像形成装置。
【請求項１１】
前記検出部は、前記セット状態として、画像読取装置にセットされた用紙の周辺部に付加されているマークの位置を検出し、
前記制御部は、前記印刷時に給紙される用紙に付加されているマークの位置と、前記セット情報が示すマークの位置とを比較する
ことを特徴とする請求項１０に記載の画像形成装置。
【請求項１２】
前記検出部は、前記セット状態として、前記画像読取装置にセットされた用紙の所定位置にマークが付加されているか否かを検出し、
前記制御部は、前記印刷時に給紙される用紙のセット状態として該用紙の前記所定位置に対応する位置に前記マークが付されているか否かを検出して前記比較を行う
ことを特徴とする請求項８乃至１０のいずれか１項に記載の画像形成装置。
【請求項１３】
前記画像読取装置は自動原稿送り装置を有し、
前記検出部は、前記自動原稿送り装置により搬送される1枚目の用紙に付加されているマークを検出し、
前記制御部は、前記印刷時に給紙される１枚目の用紙に付加されているマークについて前記比較を行う
ことを特徴とする請求項８乃至１２のいずれか１項に記載の画像形成装置。
【請求項１４】
前記制御部は、前記比較の結果、セット状態が異なると判断された場合、使用者に通知するとともに印刷を中止する
ことを特徴とする請求項８乃至１３のいずれか１項に記載の画像形成装置。
【請求項１５】
前記制御部は、前記比較の結果に基づいて、前記余白領域情報を、前記印刷時に給紙される用紙のセット状態に対応するように変換して使用する
ことを特徴とする請求項８乃至１３のいずれか１項に記載の画像形成装置。
【発明の詳細な説明】
【技術分野】
【０００１】
本発明は、印刷済みの用紙を印刷に再利用することのできる画像形成装置に関する。
【背景技術】
【０００２】
昨今環境問題への対策が様々な分野で呼びかけられる中、印刷装置において大量に排出される印刷用紙についても注目がされている。印刷装置から出力された印刷用紙は、利用価値がなくなった時点で廃棄されるのが通例であり、印刷用紙の一部にしか画像が印刷されていないような場合でも同様に廃棄される。しかし、こういった一部にしか印字されておらず白紙の領域が一定以上あるような用紙は、その白紙領域を使用すれば印刷用紙として再利用することができる。
【０００３】
たとえば、印刷済み用紙に存在する画像の濃度や面積を検出し、その用紙が印刷に適する用紙か否かを判断する画像形成装置がある（特許文献１参照）。この装置では、給紙トレイから画像形成部へ向かう給紙搬送経路の途中に、用紙上の画像の濃度や面積（印刷率）を検出するセンサを配置し、印字率や印刷濃度が閾値以上の用紙は印刷に不適と判断して、画像形成を実行せずに排紙するようになっている。
【０００４】
また、給紙搬送経路に用紙の白紙領域を検出するためのセンサを取り付け、給紙された用紙が印字済み用紙か否かと、印刷済み用紙であれば新たな原稿画像が白紙領域に収まるか否かを判定し、収まる場合にはその原稿画像を印刷する、もしくは所定範囲内の縮小率で収まる場合には縮小処理を施して印刷する装置がある（たとえば、特許文献２参照。）。
【０００５】
このほか、レターヘッド用紙や葉書用紙など天地や表裏を区別する必要がある印刷用紙への印刷が表裏や天地を間違えて行われることを防止するために、給紙トレイにセットされた用紙に付加されているＩＣタグを検出し、そのＩＣタグの場所によって、画像の向きの変更や頁順を逆にして印刷するなどの処理を行って、正しく印刷が実行されるようにした印刷装置がある（たとえば、特許文献３参照。）。
【先行技術文献】
【特許文献】
【０００６】
【特許文献１】特開平９−２８４４６７号公報
【特許文献２】特開２００６−２９７６０８号公報
【特許文献３】特開２００４−２８４２５０号公報
【発明の概要】
【発明が解決しようとする課題】
【０００７】
再利用の印刷に適する用紙か否かを判断するために、画像形成部へ向かう給紙搬送経路の途中に用紙上の画像を光学的に読み取る専用のセンサ等を設けると、装置構成の複雑化や装置価格の上昇を招いてしまう。
【０００８】
また、印刷済み用紙の余白領域に画像を印刷するためには、余白領域のサイズに応じて画像を縮小する処理を要するが、複数頁の原稿を印刷する場合に、個々の頁で縮小率が異なると見苦しいばかりか、たとえば、地図を印刷するような場合にはその縮尺が頁毎に相違してしまうといった不具合が生じるので、縮小率を全頁で統一することが望まれる。
【０００９】
特許文献１に開示された装置のように、画像形成部へ向かう給紙搬送経路の途中にセンサを配置する構成では、１枚給紙する毎に、その給紙された用紙の余白領域をセンサで検知して縮小率を算出し、その縮小率で縮小処理した画像を画像形成部で余白領域に印刷する、という工程を繰り返すことになるので、複数頁の原稿を印刷する場合に縮小率を全頁で統一させることは難しい。
【００１０】
本発明は、上記の問題を解決しようとするものであり、装置構成の複雑化を招くことなく印刷済み用紙の余白領域を再利用して画像を印刷することのできる画像形成装置を提供することを第１の目的としている。また、複数枚の印刷済み用紙の余白領域に原稿の全頁を統一した縮小率で印刷することのできる画像形成装置を提供することを第２の目的としている。
【課題を解決するための手段】
【００１１】
かかる目的を達成するための本発明の要旨とするところは、次の各項の発明に存する。
【００１２】
［１］画像読取装置により読み取られた原稿画像をプリント用紙に印刷する機能を有する画像形成装置において、
原稿画像を入力する原稿画像入力部と、
記憶部と、
制御部と、
を有し、
前記制御部は、前記画像読取装置により読み取られた用紙の画像の余白領域に関する情報である余白領域情報を検出して前記記憶部に記憶すると共に、前記原稿画像入力部により入力された原稿画像を、前記記憶部に記憶されている前記余白領域情報に基づいて前記用紙の余白領域に印刷するよう制御する
ことを特徴とする画像形成装置。
【００１３】
上記発明では、画像読取装置により読み取られた原稿画像をプリント用紙に印刷する機能（所謂、コピー機能）で使用される画像読取装置を使用して、用紙の余白領域を検出するための画像の読み取りが行われる。余白領域の検出のために専用のセンサを設ける場合に比べて装置構成が簡略となる。
【００１４】
画像読取装置で読み取られて余白領域情報の記憶された用紙は、給紙トレイなどにセットされて印刷に利用される。この印刷の際に、制御部は、記憶部に記憶されている余白領域情報に基づいてその用紙の余白領域を認識し、該余白領域に原稿画像が収まるように印刷を制御する。
【００１５】
［２］前記原稿画像入力部は、前記画像読取装置から前記原稿画像を入力する
ことを特徴とする［１］に記載の画像形成装置。
【００１６】
上記発明では、原稿画像入力部は画像読取装置から出力された原稿画像を入力する。すなわち、画像読取装置は、用紙の余白領域を検出するための画像の読み取りと、その用紙の余白領域に印刷する原稿画像の読み取りとに兼用される。
【００１７】
［３］前記原稿画像入力部は、ネットワークを介して外部機器から前記原稿画像を入力する
ことを特徴とする［１］に記載の画像形成装置。
【００１８】
上記発明では、原稿画像入力部は、ネットワークを介して外部機器から原稿画像を入力する。たとえば、原稿画像入力部は、ネットワークを介して外部機器から入力した印刷データをラスタライズしてイメージデータを原稿画像として生成することによって原稿画像の入力機能を果たす。
【００１９】
［４］前記制御部は、前記画像読取装置により読み取られた複数枚の用紙の頁毎に前記余白領域情報を検出して前記記憶部に記憶すると共に、前記原稿画像入力部により入力された複数枚の原稿画像の各頁に前記記憶部に記憶されている前記余白領域情報を順に割り当て、前記原稿画像の各頁をその頁に割り当てた余白領域情報が示す余白領域に印刷するよう制御する
ことを特徴とする［１］または［２］に記載の画像形成装置。
【００２０】
上記発明では、制御部は、画像読取装置により読み取られた複数枚の用紙の頁毎に余白領域情報を検出して記憶部に記憶させ、入力した複数枚の原稿画像の各頁を、記憶部に記憶されている複数枚分の余白領域情報を使用して、各用紙の余白領域に印刷するよう制御する。
【００２１】
［５］前記制御部は、前記原稿画像の頁毎に、その頁に割り当てられた前記余白領域情報の示す余白領域にその頁の原稿画像が収まる縮小率を算出する
ことを特徴とする［４］に記載の画像形成装置。
【００２２】
上記発明では、複数枚の原稿画像の各頁について、その頁が印刷される用紙の余白領域に収まる縮小率が算出される。
【００２３】
［６］前記制御部は、算出された縮小率の中で最も高い縮小率を抽出し、その抽出した縮小率で前記原稿画像の全頁を縮小する
ことを特徴とする［５］に記載の画像形成装置。
【００２４】
上記発明では、算出された縮小率の中で最も高い縮小率を抽出し、その抽出した縮小率で原稿画像の全頁を縮小するので、どの頁においても余白領域に原稿画像を収めることができる。また、該縮小率は、余白領域の収まるという条件下で全頁に統一して適用可能な縮小率の中で最も低い（原寸に近い）縮小率になっている。
【００２５】
［７］前記制御部は、算出された縮小率が所定の縮小率を越える場合は、その頁に割り当てられた余白領域情報は使用せず、該余白領域情報に対応する用紙は印刷せずに所定のトレイに排紙するよう制御する
ことを特徴とする［５］または［６］に記載の画像形成装置。
【００２６】
上記発明では、余白領域情報の示す余白領域に原稿画像が収まるように算出した縮小率が所定値より高い場合は、その余白領域情報は使用せず、またその余白領域情報に対応する用紙は印刷に使用しない。その原稿画像には、たとえば、別の余白領域情報が割り当てられる。
【００２７】
［８］前記画像読取装置で読み取られる用紙のセット状態を検出する検出部をさらに有し、
前記制御部は、余白領域情報の検出時に前記画像読取装置で読み取られる用紙のセット状態を前記検出部で検出し、該検出されたセット状態を示すセット情報を前記記憶部に記憶しておき、前記印刷時に給紙される用紙のセット状態と前記記憶部に記憶されている前記セット情報が示すセット状態とを比較する
ことを特徴とする［１］乃至［７］のいずれか１項に記載の画像形成装置。
【００２８】
上記発明では、余白領域情報の検出時に画像読取装置で読み取られた用紙のセット状態と、印刷時におけるこの用紙のセット状態とが比較される。余白領域情報が示す余白領域の位置は画像読取装置で読み取られたときの用紙のセット状態に対応したものであるので、画像読取装置で読み取られたときの用紙のセット状態と印刷時のセット状態が相違する場合には、余白領域情報をそのまま使用することができない。そこで、上記比較を行うことにより、余白領域情報をそのまま使用して印刷可能か否か等を判断することができる。
【００２９】
［９］前記セット状態を示す項目の１つに用紙の方向が含まれる
ことを特徴とする［８］に記載の画像形成装置。
【００３０】
上記発明では、余白領域情報の検出時と印刷時に用紙の向きが検出され、これらが比較される。
【００３１】
［１０］前記セット状態を示す項目の１つに用紙の表裏が含まれる
ことを特徴とする［８］に記載の画像形成装置。
【００３２】
上記発明では、余白領域情報の検出時と印刷時に用紙の表裏が検出され、これらが比較される。
【００３３】
［１１］前記検出部は、前記セット状態として、画像読取装置にセットされた用紙の周辺部に付加されているマークの位置を検出し、
前記制御部は、前記印刷時に給紙される用紙に付加されているマークの位置と、前記セット情報が示すマークの位置とを比較する
ことを特徴とする［１０］に記載の画像形成装置。
【００３４】
上記発明では、用紙の周辺部に付加されているマークの位置を検出することによって、用紙のセット状態（方向や表裏）が認識される。マークは光学的に読み取られるマークであってもよいし、ＲＦＩＤ（Radio Frequency IDentification）タグのように無線通信によって情報が読み取られるものであってもよい。マークは少なくとも用紙の１箇所に設けられればよい。２箇所以上に設ける場合はマークの種類を相違させる、もしくはマークの位置を用紙の中心に対して非対称にするとよい。
【００３５】
［１２］記検出部は、前記セット状態として、前記画像読取装置にセットされた用紙の所定位置にマークが付加されているか否かを検出し、
前記制御部は、前記印刷時に給紙される用紙のセット状態として該用紙の前記所定位置に対応する位置に前記マークが付されているか否かを検出して前記比較を行う
ことを特徴とする［８］乃至［１０］のいずれか１項に記載の画像形成装置。
【００３６】
上記発明では、余白領域情報の検出時に画像読取装置にセットされた用紙の所定位置にマークがあり、印刷時に給紙される用紙の所定位置にマークがあれば、余白領域情報の検出時と印刷時とで用紙のセット状態が一致していると判断される。
【００３７】
［１３］前記画像読取装置は自動原稿送り装置を有し、
前記検出部は、前記自動原稿送り装置により搬送される1枚目の用紙に付加されているマークを検出し、
前記制御部は、前記印刷時に給紙される１枚目の用紙に付加されているマークについて前記比較を行う
ことを特徴とする［８］乃至［１２］のいずれか１項に記載の画像形成装置。
【００３８】
上記発明では、複数枚の用紙に対しても、その１枚目のみにマークの付加および検出を行えばよいので、マークの付与や検出に係る作業や処理が簡略化される。
【００３９】
［１４］前記制御部は、前記比較の結果、セット状態が異なると判断された場合、使用者に通知するとともに印刷を中止する
ことを特徴とする［８］乃至［１３］のいずれか１項に記載の画像形成装置。
【００４０】
上記発明では、余白領域情報の検出時と印刷時とで用紙のセット状態が一致しない場合は、その旨が使用者に通知されると共に印刷が中止される。
【００４１】
［１５］前記制御部は、前記比較の結果に基づいて、前記余白領域情報を、前記印刷時に給紙される用紙のセット状態に対応するように変換して使用する
ことを特徴とする［８］乃至［１３］のいずれか１項に記載の画像形成装置。
【００４２】
上記発明では、余白領域情報の検出時と印刷時とで用紙のセット状態が一致しない場合は、余白領域情報を印刷時のセット状態に対応するように変換して使用する。
【発明の効果】
【００４３】
本発明によれば、画像読取装置により読み取られた原稿画像をプリント用紙に印刷する機能を有する画像形成装置において、該機能で使用される画像読取装置を使用して用紙の余白領域を検出するための画像の読み取りを行うので、余白領域検出用に専用のセンサを設ける場合に比べて装置構成の複雑化を招くことなく、余白領域に画像を印刷可能な画像形成装置を提供することができる。
【図面の簡単な説明】
【００４４】
【図１】本発明の第１の実施の形態に係る画像形成装置の概略構成を示すブロック図である。
【図２】再利用紙印刷モードでの作業手順を示す説明図である。
【図３】再利用紙印刷モードでの印刷条件を設定するモード設定画面の一例を示す正面図である。
【図４】余白領域の検出例を示す説明図である。
【図５】画像領域の検出例を示す説明図である。
【図６】印刷対象の原稿画像の各頁の画像領域を、その頁の印刷に使用される再利用紙の余白領域に収めるための縮小率の算出例を示す説明図である。
【図７】算出した縮小率が、設定されている許容縮小率より高くなる頁が存在する場合の再利用紙の割り当て例を示す説明図である。
【図８】コピージョブを画像形成装置が行う場合の処理を示す流れ図である。
【図９】再利用印刷モードの実行時に表示される各種の指示画面を示す説明図である。
【図１０】プリントジョブを画像形成装置が行う場合の処理を示す流れ図である。
【図１１】余白検出処理（図８のステップＳ１０２もしくは図１０のステップＳ２０２）を示す流れ図である。
【図１２】余白管理テーブルの一例を示す説明図である。
【図１３】原稿読み取り処理（図８のステップＳ１０３）を示す流れ図である。
【図１４】再利用印刷処理（図８のステップＳ１０４または図１０のステップＳ２０３）の詳細を示す流れ図である。
【図１５】図１４の続きを示す流れ図である。
【図１６】図１４の続き（自動・縮小率一定モードの場合）を示す流れ図である。
【図１７】縮小率算出処理を示す流れ図である。
【図１８】ダミー原稿およびダミー原稿のマークを読み取る検出センサの取り付け位置を例示した説明図である。
【図１９】読み取り時と再利用印刷時に検出されたマーク位置と再利用紙のセット状態との関係を示す説明図である。
【図２０】余白領域検出のための読み取り時と再利用印刷時とで再利用紙が上下逆向きにセットされた場合を例示した説明図である。
【図２１】セット状態が正常な場合の印刷例を示す説明図である。
【図２２】セット状態が上下逆の場合にこれを考慮せずに余白領域データの示す余白領域にそのまま印刷する場合の再利用印刷の流れを示す説明図である。
【図２３】セット状態が上下逆の場合に（Ａ）の手法による再利用印刷の流れを示す説明図である。
【図２４】セット状態が上下逆の場合に（Ｂ）の手法による再利用印刷の流れを示す説明図である。
【図２５】読み取り時と再利用印刷時に検出されたマーク位置が９０度異なる場合のセット状態を示す説明図である。
【図２６】表裏逆にセットされた場合における読み取り時と再利用印刷時の頁順が逆になることを示す説明図である。
【図２７】第２の実施の形態における余白検出処理を示す流れ図である。
【図２８】第２の実施の形態における再利用印刷処理を示す流れ図である。
【図２９】第２の実施の形態における用紙セット確認処理（図２８のステップＳ９０１）の詳細を示す流れ図である。
【発明を実施するための形態】
【００４５】
以下、図面に基づき本発明の各種実施の形態を説明する。
【００４６】
図１は、本発明の第１の実施の形態に係る画像形成装置１０の概略構成を示している。画像形成装置１０は、原稿を光学的に読み取って得た画像情報に基づいて該原稿の複製画像を用紙に印刷して出力するコピー機能、外部端末から受信した印刷データをラスタライズして得た画像を用紙に印刷して出力するプリンタ機能などを備えた、所謂、複合機として構成されている。また、コピー機能やプリンタ機能に係る印刷を、印刷済み用紙の余白領域を利用して行う再利用紙印刷モードを備えている。
【００４７】
画像形成装置１０は、当該画像形成装置１０の動作を統括制御するＣＰＵ（Central Processing Unit）１１に、ＲＯＭ（Read Only Memory）１２と、ＲＡＭ（Random Access Memory）１３と、不揮発メモリ１４と、表示部１５と、操作部１６と、画像処理部１７と、通信部１８と、ハードディスク装置１９と、画像読取装置２１と、自動原稿送り装置２２と、プリンタ部２３とを接続して構成される。
【００４８】
ＲＯＭ１２には各種のプログラムが格納されており、これらのプログラムに従ってＣＰＵ１１が処理を実行することにより画像形成装置１０としての各機能が実現される。ＲＡＭ１３はＣＰＵ１１がプログラムを実行する際に各種のデータを一時的に格納するワークメモリや画像データを一時的に記憶する画像メモリなどとして使用される。不揮発メモリ１４は電源がオフしても記憶内容が破壊されずに保存される書き換え可能なメモリであり、ユーザ情報や各種の設定情報、検出された余白領域に関する情報などが記憶される。
【００４９】
表示部１５は、各種の操作画面や設定画面、選択画面、案内画面などを表示する機能を果たす。操作部１６はユーザから各種の操作を受ける機能を果たす。ここでは、表示部１５として液晶ディスプレイ（ＬＣＤ…Liquid Crystal Display）を使用している。操作部１６は、表示部１５の表示画面上に形成され、押下された座標位置を検出するタッチパネルや、テンキー、スタートボタン、各種操作スイッチなどで構成される。
【００５０】
画像処理部１７は、画像の拡大、縮小、回転、切り出し、余白領域の検出などを行う。通信部１８は、ＬＡＮ（Local Area Network）やインターネットなどのネットワークと接続してネットワーク上の外部端末など各種装置と通信する機能を果たす。たとえば、外部端末から印刷データを受信する場合に使用される。ハードディスク装置（ＨＤＤ）１９は、画像データの記憶などに利用される大容量不揮発の記憶装置である。
【００５１】
画像読取装置２１は、原稿を光学的に読み取って原稿画像を取得する機能を果たす。自動原稿送り装置２２は、原稿台にセットされた原稿をその最上のものから１枚ずつ順に繰り出して搬送し、画像読取装置２１の読み取り位置を通過させて排紙する機能を果たす。さらに自動原稿送り装置２２は、オモテ面の読み取られた原稿をその表裏を反転して再び読み取り位置へ送りこむ機能を有している。これにより画像読取装置２１は原稿の表裏両面を読み取ることができる。
【００５２】
画像読取装置２１は、原稿に光を照射する光源と、原稿をその幅方向に１ライン分読み取るラインイメージセンサと、原稿からの反射光をラインイメージセンサに導いて結像させるレンズやミラーからなる光学経路などで構成される。画像読取装置２１は、プラテンガラス裏面に沿ってライン単位の読み取り位置を移動させることで、プラテンガラス上に載置された静止原稿を光学的に読み取ることができる。また、プラテンガラスの一方の端部などに読み取り位置を固定させておき、自動原稿送り装置２２によって搬送される原稿に対するライン単位の読み取り動作を繰り返すことによって原稿を２次元画像として読み取る、所謂、流し読み形式での読み取りを行うことができる。
【００５３】
プリンタ部２３は、入力される画像データに応じた画像を用紙上に形成して出力する印刷機能を果たす。プリンタ部２３は、印刷に使用される用紙を収納した複数の給紙トレイ２４、２５と、給紙元に選択された給紙トレイから１枚ずつ順に用紙を繰り出して搬送する搬送部２６と、搬送部２６によって搬送される用紙上に画像を形成する画像形成部２７などで構成される。給紙トレイ２４、２５には、通常の用紙が収納される通常給紙トレイ２４と、再利用紙印刷モードで使用される用紙が収納される再利用紙給紙トレイ２５がある。再利用紙給紙トレイ２５は、手差しトレイなどでもかまわない。
【００５４】
画像形成部２７は、感光体ドラムと、帯電装置と、レーザーユニットと、現像装置と、転写分離装置と、クリーニング装置と、定着装置などを備え、所謂、電子写真プロセスによって用紙上に画像を形成するように構成されている。画像形成部２７は、他の画像形成方式であっても構わない。
【００５５】
図２は、コピー機能やプリンタ機能に係る印刷を、印刷済みの用紙の余白領域を利用する再利用紙印刷モードで行う場合の概略手順を示している。ユーザは、印刷に再利用したい印刷済み用紙（以後、再利用紙と呼ぶ。）を自動原稿送り装置２２にセットする。該セット完了の指示をうけると、画像形成装置１０は、自動原稿送り装置２２にセットされた１または複数枚の再利用紙を順次読み取ってその余白領域を検出し、読み取った頁毎に、その頁の頁番号（読み取り順序）と該頁から検出された余白領域に関する情報（位置、形状、サイズなど）を示す余白領域データとを対応付けて記憶する。さらに読み取った再利用紙の枚数を記憶する（Ｐ１）。これらの情報は、たとえば、不揮発メモリ１４に記憶される。
【００５６】
ユーザは、画像読取装置２１で読み取られて余白領域の検出が完了した再利用紙を、再利用紙給紙トレイ２５にセットした後（Ｐ２）、この再利用紙を利用した印刷の実行を指示する。該指示を受けた画像形成装置１０は、再利用紙給紙トレイ２５に収納されている再利用紙の各頁の余白領域を不揮発メモリ１４に記憶されている余白領域データなどの情報に基づいて認識し、原稿画像をその余白領域に収まるように縮小して再利用紙に印刷する（Ｐ３）。
【００５７】
たとえば、コピー機能に係る印刷を再利用紙印刷モードで行う場合は、印刷対象の原稿を画像読取装置２１で読み取り、その画像を、再利用紙給紙トレイ２５から給紙する再利用紙の余白領域に収まるように縮小して印刷する。プリンタ機能に係る印刷を再利用紙印刷モードで行う場合は、プリント対象の印刷データをラスタライズして得た画像を、再利用紙給紙トレイ２５から給紙する再利用紙の余白領域に収まるように縮小して印刷する。
【００５８】
図３は、再利用紙印刷モードでの印刷条件を設定するモード設定画面３０の一例を示している。モード設定画面３０には、原稿領域に関する設定（原稿領域モードの設定）操作を受ける原稿領域設定欄３１と、縮小率に関する設定操作を受ける縮小率設定欄３２が表示される。原稿領域設定欄３１では、原稿の頁全面を再利用紙へ印刷する原稿領域とする全面モードと、頁内で画像の存在する画像領域のみとする画像領域モードのいずれかが選択される。
【００５９】
縮小率設定欄３２では、縮小率を自動モード設定にするか、手動モード設定にするかの選択を受け付ける。さらに、自動モードが選択された場合には、頁毎に縮小率を可変にする可変モードと、全頁に同一の縮小率を適応する自動・縮小率一定モードの選択を受け付ける。また自動モードにおいては、許容縮小率を設定でき、設定された許容縮小率より高い縮小率への自動縮小は制限される。手動モードでは、ユーザの希望する縮小率を設定することができる。
【００６０】
図４は、再利用紙からの余白領域の検出例を示している。ここでは、再利用紙４０の各頁において、画像の無い領域から最も大きく確保可能な矩形領域をその頁の余白領域４１として検出する。
【００６１】
図５は、画像領域の検出例を示している。ここでは、印刷対象の原稿画像４５の各頁において、その頁内に存在する画像全体を包含し得る最小の矩形領域を、その頁の画像領域４６として抽出する。なお、孤立点などノイズと考えられる画像は除外して画像領域４６を抽出するようにされてもよい。
【００６２】
図６は、印刷対象の原稿画像４５の各頁の画像領域４６を、その頁の印刷に使用される再利用紙４０の余白領域４１に収めるための縮小率の算出例を示している。縮小率１００％は原寸であり、縮小率の数値が小さくなるほど小さい画像に縮小されている。ここでは、縮小率の数値が小さいほど縮小率は高く、１００％に近いほど縮小率は低いと表現するものとする。原稿画像４５の各頁に対する縮小率は、対応する再利用紙の余白領域４１に収まる範囲で最も低い縮小率が算出される。
【００６３】
複数頁の原稿画像４５を複数枚の再利用紙４０を使用して印刷する場合には、複数頁の原稿画像４５の各頁に１対１に対応させて、不揮発メモリ１４に記憶されている余白領域データが割り当てられる。第１の実施の形態では、印刷対象の原稿画像４５の先頭頁から順に各頁に対して、余白領域検出時に読み取った再利用紙４０の１枚目から順に余白領域データを割り当てる。なお、再利用紙４０の表裏両面を再利用印刷に使用する（両面印刷モードで使用する）場合には、１枚目の表面→１枚目の裏面→２枚目の表面→２枚目の裏面という順序で割り当てられる。
【００６４】
モード設定画面３０にて可変モードが設定されている場合には、原稿画像４５の各頁は、その頁に対して算出された縮小率で縮小される。自動・縮小率一定モードが設定されている場合は、算出された縮小率の中で最も高い縮小率（数値的には小さいもの）を抽出し、全頁に対してその縮小率が適用される。図６の例では、全頁に対して６５％の縮小率が適用される。
【００６５】
図７は、算出された縮小率が、モード設定画面３０で設定されている許容縮小率より高く(数値的に小さく)なる頁が存在する場合を例示している。図７の例では、許容縮小率を５８％とする。原稿画像４５の３頁目を、再利用紙４０の３枚目に割り当てると、縮小率が５０％となり、許容縮小率より高くなる。そこで、算出された縮小率が許容縮小率より高くなる、再利用紙４０の３枚目の余白領域データには原稿画像を割り当てず（使用せず)、次（４枚目）の再利用紙４０の余白領域データを原稿画像４５の３頁目に割り当てる。
【００６６】
原稿画像４５に割り当てられずにスキップされた余白領域データに対応する再利用紙４０は、印刷されずに排紙される。この再利用紙は原稿画像の印刷された再利用紙と異なる排紙トレイに排出される。図７の例ではさらに、原稿画像４５の５頁目を、再利用紙４０の６枚目に割り当てた場合にも縮小率が許容縮小率より高くなるので、６枚目の再利用紙の余白領域データには原稿画像を割り当てず、原稿画像４５の５頁目の画像は７枚目の再利用紙が割り当てられて印刷される。
【００６７】
次に、再利用紙印刷モードにおける画像形成装置１０の動作を流れ図に基づいて説明する。
【００６８】
図８は、コピー機能に係るジョブ(コピージョブ)を行う場合に画像形成装置１０が行う処理の流れを示している。コピージョブの投入操作において、画像形成装置１０は、図９（ａ）に示すような印刷モード選択画面５０を表示部１５に表示し、該ジョブを再利用紙印刷モードで行うか否かの選択操作をユーザから受け付ける。通常印刷ボタン５１が操作されて通常印刷が選択された場合は（図８、ステップＳ１０１；Ｎ）、通常印刷処理（ステップＳ１０５）を行って、該ジョブにかかわる動作を終了する（エンド）。この場合の通常印刷処理では、原稿を画像読取装置２１で読み取り、その画像を、通常給紙トレイ２４にセットされている用紙にプリンタ部２３で印刷する動作が行われる。
【００６９】
図９（ａ）の印刷モード選択画面５０で再利用紙印刷ボタン５２が操作されて再利用紙印刷モードが選択された場合は（図８、ステップＳ１０１；Ｙ）、再利用紙の余白領域を検出する余白検出処理(ステップＳ１０２)を行い、さらに印刷対象の原稿を画像読取装置２１で読み取る原稿読み取り処理を行い（ステップＳ１０３）、該読み取りで得た原稿画像の全面または画像領域部分の画像を再利用紙給紙トレイ２５にセットされている再利用紙に印刷する再利用印刷処理（ステップＳ１０４）を行って動作を終了する（エンド）。
【００７０】
図１０は、プリンタ機能に係るジョブ(プリントジョブ)を行う場合に画像形成装置１０が行う処理の流れを示している。外部端末から受信したプリントジョブのデータには、再利用紙印刷モードのオン/オフを示す情報が付加されている。画像形成装置１０のＣＰＵ１１は、この情報が無い、もしくは再利用紙印刷モードのオフを示す場合は（ステップＳ２０１；Ｎ）、通常印刷処理（ステップＳ２０４）を行って、当該ジョブの動作を終了する（エンド）。この場合の通常印刷処理では、受信したプリントジョブに係るデータをラスタライズし、このラスタライズにより生成された画像を、通常給紙トレイ２４にセットされている用紙にプリンタ部２３で印刷する動作が行われる。
【００７１】
再利用紙印刷モードがオンの場合は（ステップＳ２０１；Ｙ）、再利用紙の余白領域を検出する余白検出処理(ステップＳ２０２)を行い、受信したプリントジョブに係るデータをラスタライズして得た原稿画像の全面または画像領域部分の画像を再利用紙給紙トレイ２５にセットされている再利用紙に印刷する再利用印刷処理（ステップＳ２０３）を行って動作を終了する（エンド）。なお、再利用印刷処理の実行前に、プリントジョブに係るデータをラスタライズして得た原稿画像はその頁番号に対応付けてハードディスク装置１９に保存され、再利用印刷処理では、この保存されている原稿画像を読み出して印刷するようになっている。
【００７２】
図１１は、余白検出処理（図８のステップＳ１０２もしくは図１０のステップＳ２０２）の流れを示している。画像形成装置１０のＣＰＵ１１は、再利用紙を自動原稿送り装置２２またはプラテンガラス上へセットした後にスタートボタンを押下する旨のメッセージを含む、図９（ｂ）に示すような指示画面５３を表示部１５に表示し(ステップＳ３０１)、この画面５３のスタートボタン５４が押下されるのを待つ（ステップＳ３０２；Ｎ）。
【００７３】
スタートボタン５４の押下を受けると（ステップＳ３０２；Ｙ）、以下の動作をセットされている各再利用紙に対して行う。すなわち、自動原稿送り装置２２に再利用紙がセットされている場合は、その中の１枚を自動原稿送り装置２２で繰り出して画像読取装置２１で読み取る（ステップＳ３０３）。またプラテンガラス上にセットされている場合はそのセットされた再利用紙１枚を画像読取装置２１で読み取る（ステップＳ３０３）。次に画像形成装置１０のＣＰＵ１１は、この読み取った画像の余白領域を画像処理部１７に検出させ（ステップＳ３０４）、その検出結果から余白領域データを作成しその頁番号に対応付けて不揮発メモリ１４に記憶する（ステップＳ３０５）。次頁の再利用紙があれば（ステップＳ３０６；Ｙ）、ステップＳ３０３に戻って処理を継続する。
次頁がなければ（ステップＳ３０６；Ｎ）、たとえば、図９（ｃ）に示すような指示画面５６を表示部１５に表示して、読み取り終えた再利用紙を再利用紙給紙トレイ２５にセットする旨をユーザに指示して(ステップＳ３０７)処理を終了する（リターン）。
【００７４】
ここでは、余白領域データ等を管理するために、図１２に示す余白管理テーブル６０が作成されて不揮発メモリ１４に記憶される。余白管理テーブル６０は、その先頭から、再利用紙の読み取り順に、その再利用紙の頁番号と、検出された余白領域を座標情報などで表わした余白領域データと、不使用フラグとを対応付けて登録したものであり、最後の頁番号の次には終端コードが登録される。余白管理テーブル６０の作成時点では不使用フラグは０に設定される。不使用フラグ＝１の場合は、その余白領域データは使用しない（原稿画像に割り当てない）ことを示す。
【００７５】
図１３は、原稿読み取り処理（図８のステップＳ１０３）の流れを示している。画像形成装置１０のＣＰＵ１１は、印刷原稿を自動原稿送り装置２２またはプラテンガラス上へセットした後、スタートボタンを押下する旨の指示メッセージを含む、図９（ｄ）に示すような指示画面５８を表示部１５に表示し(図１３、ステップＳ４０１)、この画面５８のスタートボタン５９が押下されるのを待つ（ステップＳ４０２；Ｎ）。
【００７６】
スタートボタン５９が押下されると（ステップＳ４０２；Ｙ）、自動原稿送り装置２２に原稿がセットされている場合は、自動原稿送り装置２２でその原稿を搬送して原稿１頁を画像読取装置２１で読み取る、もしくはプラテンガラス上にセットされている場合は、そのセットされている原稿１頁を画像読取装置２１で読み取る（ステップＳ４０３）。次に画像形成装置１０のＣＰＵ１１は、この読み取った原稿画像（画像データ）を頁番号などの管理情報と対応付けてハードディスク装置１９に記憶する（ステップＳ４０４）。次頁の原稿があれば（ステップＳ４０５；Ｙ）、ステップＳ４０３に戻って処理を継続し、次頁がなければ（ステップＳ４０５；Ｎ）処理を終了する（リターン）。なお、両面読み取りモードが選択されている場合は、原稿の表面頁を読み取った後、続けてその裏面頁の読み取りが行われる。
【００７７】
図１４、図１５、図１６は、再利用印刷処理（図８のステップＳ１０４または図１０のステップＳ２０３）の詳細を示している。モード設定画面３０にて、全頁の縮小率を同一にする自動・縮小率一定モードが選択されていない場合は（ステップＳ５０１；Ｎ）、以下の処理が、印刷対象の原稿画像の先頭から最終頁まで１頁ずつ順に繰り返し行われる。
【００７８】
まず、モード設定画面３０にて、原稿画像の全面を印刷する全面モードが選択されているか否かを調べる。全面モードが選択されている場合は（ステップＳ５０２；Ｙ）、原稿画像の用紙サイズ（全面のサイズ）を原稿サイズ（印刷対象領域のサイズ）に設定して(ステップＳ５０６)、図１５のステップＳ５０７へ移行する。
【００７９】
画像の存在する画像領域のみを印刷対象領域とする画像領域モードが選択されている場合は（ステップＳ５０２；Ｎ）、ハードディスク装置１９に記憶されている原稿画像（当該１頁分）を読み出し(ステップＳ５０３)、画像領域を切り出してハードディスク装置１９に記憶し（ステップＳ５０４）、この切り出した画像領域のサイズを原稿サイズに設定して（ステップＳ５０５）、図１５のステップＳ５０７へ移行する。
【００８０】
ステップＳ５０７では、未チェックの余白領域データが存在するか否かを調べ、存在すれば(ステップＳ５０７；Ｙ)、１頁分の余白領域データを読み出す（ステップＳ５０８）。余白領域データの読み出しは、余白領域の検出時に再利用紙が画像読取装置２１によって読み取られた順序で行われる。ここでは、余白管理テーブル６０の先頭から順に読み出し、読み出したものは余白管理テーブル６０から削除する、もしくはチェック済みにする。
【００８１】
読み出した余白領域データが示す余白領域のサイズと原稿サイズとから、原稿サイズが示す印刷対象領域を余白領域に収めるための縮小率を算出する（ステップＳ５０９）。次に、モード設定画面３０で手動モードが選択されていたか否かを判断し(ステップＳ５１０)、手動モードでない場合は（ステップＳ５１０；Ｎ）、算出された縮小率が、設定されている許容縮小率より高い（数値としては許容縮小率以下）か否かを判断する（ステップＳ５１１）。算出された縮小率が許容縮小率より低い(数値としては算出値≧許容縮小率)場合は（ステップＳ５１１；Ｎ）、算出値を当該頁に対する縮小率に決定して（ステップＳ５１２）ステップＳ５１６へ移行する。
【００８２】
算出された縮小率が許容縮小率より高い（数値としては算出値＜許容縮小率）場合は(ステップＳ５１１；Ｙ)、当該余白領域データは使用せず、また当該余白領域データに対応する再利用紙は印刷に使用せずに排紙する（ステップＳ５１５）。
【００８３】
手動モードの場合は（ステップＳ５１０；Ｙ）、算出された縮小率とモード設定画面３０にてユーザにより設定された縮小率（設定値）とを比較し、算出された縮小率が設定値より低い（数値としては算出値≧設定値)場合は（ステップＳ５１３；Ｎ）、設定値を当該頁に対する縮小率に決定して（ステップＳ５１４）ステップＳ５１６へ移行する。算出された縮小率が設定値より高い（数値としては算出値＜設定値）場合は(ステップＳ５１３；Ｙ)、当該余白領域データは使用せず、また当該余白領域データに対応する再利用紙は印刷に使用せずに排紙する（ステップＳ５１５）。
【００８４】
ステップＳ５１６では、モード設定画面３０での設定が原稿領域モードか全面モードか画像領域モードかを判断し、全面モードの場合は(ステップＳ５１６；Ｙ)、原稿画像を読み出し(ステップＳ５１８)、画像領域モードの場合は(ステップＳ５１６；Ｎ)、ステップＳ５０４で切り出して保存されている切り出し画像を読み出す（ステップＳ５１７）。そして、ステップＳ５１７またはステップＳ５１８で読み出した画像（印刷対象画像）をステップＳ５１２またはステップＳ５１４で決定した縮小率で縮小し（ステップＳ５１９）、縮小後の画像を余白領域データが示す余白領域に配置した画像データを作成する（ステップＳ５２０）。そして、この画像データに基づく画像を再利用紙給紙トレイ２５から給紙した再利用紙に印刷して（ステップＳ５２２）、ステップＳ５２３へ移行する。なお、余白領域の中心と余白領域に印刷する画像の中心とが一致するように位置合わせするとよい。
【００８５】
未チェックの余白領域データが存在しない場合は(ステップＳ５０７；Ｎ)、これ以上、再利用紙が再利用紙給紙トレイ２５に存在しないので、給紙元を通常給紙トレイ２４に切り替え、原稿画像を読み出し（ステップＳ５２１）、この画像を通常給紙トレイ２４から給紙される通常用紙に印刷して(ステップＳ５２２)ステップＳ５２３へ移行する。
【００８６】
ステップＳ５２３では、次頁の原稿があるか否かを判断し、次頁があれば（ステップＳ５２３；Ｎ）、ステップＳ５０２に戻って処理を継続し、この頁で原稿終了ならば(ステップＳ５２３；Ｙ)処理を終了する(リターン)。
【００８７】
全頁の縮小率を同一にする自動・縮小率一定モードが設定されている場合は(ステップＳ５０１；Ｙ)、図１６に示すように、原稿の全頁に適用する縮小率を計算する縮小率算出処理（ステップＳ６０１）を行う。
【００８８】
図１７は、縮小率算出処理の流れを示している。原稿画像の全面を印刷する全面モードが選択されているか否かを調べ、全面モードが選択されている場合は（ステップＳ７０１；Ｙ）、原稿の用紙サイズを原稿サイズ（印刷対象領域のサイズ）に設定して(ステップＳ７０５)、ステップＳ７０６へ移行する。
【００８９】
画像領域モードが選択されている場合は（ステップＳ７０１；Ｎ）、ハードディスク装置１９に記憶されている原稿画像（当該１頁分）を読み出し(ステップＳ７０２)、画像領域を切り出してハードディスク装置１９に記憶し（ステップＳ７０３）、この切り出した画像領域のサイズを原稿サイズに設定して（ステップＳ７０４）、ステップＳ７０６へ移行する。
【００９０】
ステップＳ７０６では、未チェックの余白領域データが存在するか否かを調べ、存在すれば(ステップＳ７０６；Ｙ)、１頁分の余白領域データを読み出す（ステップＳ７０７）。余白領域データの読み出しは、余白領域の検出時に再利用紙が画像読取装置２１によって読み取られた順序で行われる。ここでは、リードポインタが示す位置の余白領域データを読み出すものとし、最初に余白管理テーブル６０の先頭にリードポインタをセットし、その後は余白領域データを読み出す毎にリードポインタを次の読み出し位置を進める。
【００９１】
読み出した余白領域データが示す余白領域のサイズと原稿サイズとから、この原稿サイズが示す印刷対象領域を余白領域に収めるための縮小率を算出する（ステップＳ７０８）。算出された縮小率が許容縮小率以上（数値としては許容縮小以下）か否かを判断し（ステップＳ７０９）、算出された縮小率が許容縮小率より高い（数値としては算出値＜許容縮小率）場合は(ステップＳ７０９；Ｙ)、当該余白領域データは使用しないと判断し、対応する不使用フラグを１にセットして（ステップＳ７１２）、ステップＳ７０６へ移行する。
【００９２】
算出された縮小率が許容縮小率より低い(数値としては算出値≧許容縮小率)場合は（ステップＳ７０９；Ｎ）、この縮小率を記憶する（ステップＳ７１０）。そして、次頁の原稿があるか否かを判断する(ステップＳ７１１)。次頁の原稿があれば（ステップＳ７１１；Ｎ）、ステップＳ７０２に戻って処理を継続し、この頁で原稿終了ならば(ステップＳ７１１；Ｙ)、記憶されている縮小率の中で最も高い縮小率（数値としては最も小さい値）を、全頁に共通の縮小率に設定して(ステップＳ７１３)処理を終了する(リターン)。なお、縮小率算出処理からリターンするときに、リードポインタを余白管理テーブル６０の先頭に初期化する。
【００９３】
図１６に戻って説明を続ける。上記縮小率算出処理を行った後、未チェックの余白領域データが存在するか否かを調べ（ステップＳ６０２）、未チェックの余白領域データが存在すれば(ステップＳ６０２；Ｙ)、１頁分の余白領域データおよびこの余白領域データに対応する不使用フラグを読み出す（ステップＳ６０３）。読み出した不使用フラグの値が１の場合は(ステップＳ６０４；Ｙ)、該余白領域データに対応する再利用紙は印刷に使用せずに、排紙トレイに排紙し（ステップＳ６０５）、ステップＳ６０２に戻って処理を継続する。
【００９４】
不使用フラグが０の場合は（ステップＳ６０４；Ｎ）、モード設定画面３０での設定が原稿領域モードか全面モードか否かを判断し、全面モードの場合は(ステップＳ６０６；Ｙ)、原稿画像を読み出し(ステップＳ６０８)、画像領域モードの場合は(ステップＳ６０６；Ｎ)、図１７のステップＳ７０３で切り出して保存した切り出し画像を読み出す（ステップＳ６０７）。そして、ステップＳ６０７またはステップＳ６０８で読み出した画像（印刷対象画像）を、縮小率算出処理にて決定した全頁に共通の縮小率で縮小し（ステップＳ６０９）、縮小後の画像を余白領域データが示す余白位置に配置した画像データを作成する（ステップＳ６１０）。そして、この画像データに基づく画像を再利用紙給紙トレイ２５から給紙した再利用紙に印刷する（ステップＳ６１２）。その後、次頁の原稿があるか否かを判断し、次頁があれば（ステップＳ６１３；Ｎ）、ステップＳ６０２に戻って処理を継続し、この頁で原稿終了ならば(ステップＳ６１３；Ｙ)処理を終了する(リターン)。
【００９５】
未チェックの余白領域データが存在しない場合は(ステップＳ６０２；Ｎ)、これ以上、再利用紙が再利用紙給紙トレイ２５にないので、給紙元を通常給紙トレイ２４に切り替え、原稿画像を読み出し（ステップＳ６１１）、この画像を通常給紙トレイ２４から給紙される通常用紙に印刷する(ステップＳ６１２)。その後、次頁の原稿があるか否かを判断し、次頁があれば（ステップＳ６１３；Ｎ）、ステップＳ６０２に戻って処理を継続し、この頁で原稿終了ならば(ステップＳ６１３；Ｙ)処理を終了する(リターン)。
【００９６】
このように、コピー機能で原稿画像の読み取りに使用される画像読取装置２１を使用して再利用紙を読み取り、その余白領域を検出するので、余白領域検出のために専用のセンサを設ける場合に比べて装置構成が簡略化される。また、複数頁の原稿画像を印刷する場合でも、再利用印刷処理を開始する前に、複数頁分の再利用紙に関する余白検出処理を完了させて余白領域データを記憶しているので、印刷開始前に原稿の全頁にそれぞれ再利用紙を割り当てて縮小率を算出し、その中で最も高い縮小率を全頁に適用することができ、原稿の全頁を同一の縮小率で再利用紙の余白に印刷することができる。
【００９７】
さらに、原稿画像を割り当てられた再利用紙の余白領域に収まるように縮小すると縮小率が許容縮小率より高くなる場合は、その再利用紙（余白領域データ）は印刷に使用せずに排紙するので、原稿画像が許容レベルを超える高い縮小率で縮小されて印刷されることが防止される。
【００９８】
また、自動モードと手動モード、全面モードと画像領域モード、可変モードと自動・縮小率一定モード、というように各種のモードをユーザが選択できるようにしたので、ユーザの希望する印刷条件で再利用紙への印刷を行うことができる。
【００９９】
また、余白検出時の再利用紙のセット、余白検出後の再利用紙の再利用紙給紙トレイ２５へのセット、印刷原稿のセットなどユーザが介在する作業に関する案内や指示を画面表示するので、不慣れユーザでも手順を間違うことなく、再利用紙印刷モードでの印刷を行うことができる。
【０１００】
次に、本発明の第２の実施の形態について説明する。
【０１０１】
第１の実施の形態では、余白検出時に読み込んだときの向きのままその再利用紙を再利用紙給紙トレイ２５にセットする必要がある。すなわち、再利用紙給紙トレイ２５に入れる際に再利用紙の向きが変わってしまうと、不揮発メモリ１４に記憶されている余白領域データが示す余白領域の位置と、給紙された再利用紙における余白領域の位置とが異なってしまい、印刷対象画像が余白領域に収まらなくなる可能性がある。
【０１０２】
このため、ユーザは、余白検出時の読み取りでの再利用紙の向きを覚えておき、これと同じ向きになるよう意識して再利用紙給紙トレイ２５に再利用紙をセットしなければならない。また、セットする向きを誤った場合には、余白領域ではない領域に画像が印刷されることがあり、その再利用紙およびトナーなどの色材、消費エネルギー、さらには作業時間などが無駄になってしまう。
【０１０３】
そこで、第２の実施の形態では、余白検出時の読み取り（余白検出読み取り時）における再利用紙のセット状態を検出して記憶しておき、再利用紙給紙トレイ２５にセットされた再利用紙のセット状態（再利用印刷時のセット状態）と記憶されている余白検出時のセット状態とを比較し、これらが異なる場合には、所定の対応を取ることで印刷ミスの発生を防止するようになっている。
【０１０４】
再利用紙のセット状態の検出は、再利用紙４０の周辺部の特定位置もしくは再利用紙４０に重ねて使用されるダミー原稿の周辺部の特定位置に所定のマークを付加し、そのマークの位置を検出することによって行う。ここでは、図１８に示すように、１または複数枚の再利用紙４０を、その表裏からマーク７１の付加されたダミー原稿７０で挟んで使用する。自動原稿送り装置２２（もしくは画像読取装置２１）および再利用紙給紙トレイ２５（もしくは給紙経路）に、このマーク７１を検出する検出センサ７２が取り付けられている。
【０１０５】
周辺部は、上下左右のマージンとして画像の印刷されない部分であることが望ましい。また、周辺部のうち、用紙の長辺および短辺の中心から外れた位置がよく、好ましくは角または角の近傍がよい。
【０１０６】
マーク７１としては、ＲＦＩＤなど非接触型ＩＣタグや光学的に読み取られるコード（たとえば、バーコードや２次元バーコード）などを使用することができる。非接触型ＩＣタグを使用する場合には、検出センサ７２として非接触型ＩＣタグのリーダを取り付ける。光学的に読み取り可能なコードを使用する場合は、余白検出読み取り時にマークを検出する検出センサとして画像読取装置２１を利用することができる。なお、第２の実施の形態に係る画像形成装置１０の構成は、第１の実施の形態に係る画像形成装置１０に用紙のセット状態を検出するためのセンサを取り付けた構成となっている。
【０１０７】
図１９は、余白検出読み取り時と再利用印刷時におけるマーク７１の位置と再利用紙４０のセット状態との関係を示している。同図（ａ）のように余白検出読み取り時にマーク７１がダミー原稿７０の右上に検出され、同図（ｂ）のように再利用印刷時にマーク７１がダミー原稿７０の左上に検出された場合は、再利用印刷時の再利用紙４０が余白検出読み取り時に対して表裏逆のセット状態にあることが分かる。また、余白検出読み取り時が同図（ａ）の状態で、再利用印刷時に同図（ｃ）のようにマーク７１がダミー原稿７０の左下に検出された場合は、再利用印刷時の再利用紙４０が余白検出読み取り時に対して上下逆のセット状態にあることが分かる。また、余白検出読み取り時が同図（ａ）の状態で、再利用印刷時に同図（ｄ）のようにマーク７１がダミー原稿７０の右下に検出された場合は、再利用印刷時の再利用紙４０が余白検出読み取り時に対して上下および表裏逆のセット状態にあることが分かる。
【０１０８】
図２０は、余白検出読み取り時（同図（ａ））と再利用印刷時（同図（ｂ））とで再利用紙４０が上下逆向きにセットされた場合を例示している。余白検出読み取り時（同図（ａ））に対して再利用印刷時（同図（ｂ））に再利用紙４０が上下逆向きにセットされると、実際の再利用紙４０の余白領域４１は、同図（ｂ）に示すように、不揮発メモリ１４に保存されている余白領域データが示す余白領域と比べて１８０度回転した位置に存在することになる。従って、不揮発メモリ１４に保存されている余白領域データをそのまま利用すると、原稿画像が正しく余白領域に収まらない事態が生じる。
【０１０９】
このように、余白検出読み取り時と再利用印刷時でセット状態が異なる場合に、第２の実施の形態に係る画像形成装置１０は、以下の対応処理を、ユーザまたは管理者の設定に従って行うようになっている。（１）セット状態に異常がある旨の警告を表示し、再利用紙への印刷を中止する。（２）セット状態の違いに応じて画像を合成して再利用印刷を行う。さらに再利用印刷を行う場合には、以下の（Ａ）、（Ｂ）の手法がある。
【０１１０】
（Ａ）余白領域データが示す余白領域の位置が１８０回転したものとなるように余白領域データを変換する→原稿画像を余白領域のサイズに応じて縮小する→変換後の余白領域データが示す余白領域に縮小後の画像を配置してセット状態が上下逆の再利用紙に印刷する。
（Ｂ）原稿画像を余白領域のサイズに応じて縮小する→余白領域データが示す余白領域に縮小後の画像を配置した１頁分の画像を作成する→この１頁画像全体を１８０度回転させる→回転後の１頁の画像をセット状態が上下逆の再利用紙に印刷する。
【０１１１】
図２１は、セット状態が正常な場合の印刷例を示している。また、図２２は、セット状態が上下逆の場合にこれを考慮せずに余白領域データの示す余白領域にそのまま印刷する場合を示している。図２２（ａ）に示す原稿画像４５は、同図（ｃ）の余白領域データが示す余白領域４１に収まるように縮小処理されて用紙１頁分の縮小画像４５ｂが作成される（同図（ｂ））。この縮小画像４５ｂを、セット状態が上下逆の再利用紙４０に余白領域データを変換せずに印刷すると、同図（ｄ）に示すように、縮小された原稿画像の部分が実際の余白領域と異なる場所に印刷され、画像の重なりなどが生じてしまう。
【０１１２】
図２３は、セット状態が上下逆の場合に上記（Ａ）の手法（余白データを変換する手法）による再利用印刷の流れを示している。上下逆のセット状態では、図２３（ｂ）に示すように、余白領域データの示す余白領域４１と実際の余白領域とが上下逆になっているので、１８０度反転した位置を示すように余白領域データを変換する。同図（ｃ）は変換後の余白領域データが示す余白領域の位置を示している。原稿画像４５（図２３（ａ））を、変換後の余白領域データが示す余白領域に収まるように画像を縮小して配置する（図２３（ｄ））。そして、図２３（ｄ）の縮小画像４５ｃを、上下逆の再利用紙に印刷すると、同図（ｅ）に示すように、縮小された原稿画像の部分が再利用紙の余白領域に印刷され、図２１の正常な場合と同一の印刷結果が得られる。
【０１１３】
図２４は、セット状態が上下逆の場合に上記（Ｂ）の手法による再利用印刷の流れ示している。なお、図２４では、セット状態が上下逆の場合にこれを考慮せずに余白領域データの示す余白領域にそのまま印刷する場合と、（Ｂ）の手法による再利用印刷とを対比して示してある。前者は白矢印の経路（同図（ａ）→（ｂ）→（ｃ）→（ｄ））で、後者は網がけ矢印の経路（同図（ａ）→（ｂ）→（ｅ）→（ｃ）→（ｆ））で示してある。
【０１１４】
（Ｂ）の手法では、原稿画像４５（同図（ａ））は、同図（ｃ）の変換前の余白領域データが示す余白領域４１に収まるように縮小処理されて用紙１頁分の縮小画像４５ｂが作成される（同図（ｂ））。この縮小画像４５ｂを上下逆の再利用紙４０にあわせて１８０度回転させる（同図（ｅ））。そして、この１８０度回転後の縮小画像４５ｃを、上下逆の再利用紙に印刷すると、同図（ｆ）に示すように、縮小された原稿画像の部分が再利用紙の余白領域に印刷され、図２１の正常な場合と同一の印刷結果が得られる。
【０１１５】
上記の１８０度回転は、上下逆向きのセット状態に対応するように余白領域データを変換することに相当する。なお、縮小された原稿画像は、回転させてもよいし、回転させずに、変換後の余白領域データが示す位置に収まるように、配置だけを移動させてもよい。
【０１１６】
また、用紙サイズ情報から再利用紙が９０度回転していると判断した場合、たとえば、余白検出時の読み取りが用紙サイズＡ４ＬＥＦ（Long Edge Feed）で行われ、この再利用紙が再利用印刷時に再利用紙給紙トレイ２５へＡ４ＳＥＦ（Short Edge Feed）でセットされた場合、画像データを９０度回転して印刷すれば、上記と同様に正しく印刷が行われる。このとき、左右どちら側に９０度回転させればよいかはマーク７１の位置から判断することができる。たとえば、図２５（ａ）に示すように、余白検出読み取り時にＡ４ＬＥＦかつマーク７１が右上のセット状態であった場合に、同図（ｂ）に示すように、再利用印刷時にＡ４ＳＥＦの給紙トレイにマーク７１が左上のセット状態であれば、左に９０度回転させる。一方、同図（ｃ）に示すように、マーク７１が右下にセットされた場合は、右に９０度回転させればよい。
【０１１７】
余白検出読み取り時における用紙サイズ情報は、自動原稿送り装置２２に設けられたセンサで検知される。再利用印刷時の用紙サイズ情報は再利用紙が収納される給紙トレイに設けられたセンサで検知される。
【０１１８】
再利用紙の表裏が逆向きにセットされている場合は、再利用紙の両面使用時と片面使用時とで処理が異なる。以下、それぞれの場合について説明する。
【０１１９】
＜両面使用の場合＞
セット状態が表裏逆の場合、図２６に示すように、余白検出読み取り時（同図（ａ））の頁の並び順に比べて、再利用印刷時（同図（ｂ））の頁の並び順は逆転している。そのため、不揮発メモリ１４に保存されている余白領域データを、最終頁から先頭へ向けて順に使用すれば正しく印刷を行うことができる。逆順に使用する方法には、たとえば、
（Ｃ）余白管理テーブル６０をＥＮＤ側から先頭に向けて逆順に読み出して使用する、
（Ｄ）余白管理テーブル６０内の余白領域データの並び順を逆順に並び替え、並び替え後の余白管理テーブル６０を先頭から読み出す、
という２つの手法がある。
【０１２０】
＜片面使用の場合＞
片面使用の場合は、余白検出読み取り時とは逆の面が上向きになっているため、そのまま印刷を行うと、余白領域を検出した面とは逆の面に印刷を行うことになってしまう。そこで、まず両面使用時の場合と同様に不揮発メモリ１４に保存されている余白領域データをその最終頁から先頭へ向けて順に読み出して使用する（もしくは上記手法（Ｄ）とする）。そのうえで、再利用紙を両面印刷時と同様の搬送経路によって搬送し、その際、表面には印刷せず、裏面にのみ印刷を行う。これにより、不揮発メモリ１４に記憶されている余白領域データと一致する面に印刷が行われる。
【０１２１】
次に、再利用紙印刷モードにおいて第２の実施の形態に係る画像形成装置が行う動作を流れ図に基づいて説明する。第１の実施の形態と同一処理に関する説明は省略し、相違する部分のみ説明する。
【０１２２】
図２７は、第２の実施の形態に係る画像形成装置１０が行う余白検出処理を示している。画像形成装置１０のＣＰＵ１１は、最初と最後にダミー原稿７０を加えた再利用紙を自動原稿送り装置２２へセットした後にスタートボタンを押下するようユーザに指示する画面を表示部１５に表示し(ステップＳ８０１)、この画面のスタートボタンが押下されるのを待つ（ステップＳ８０２；Ｎ）。
【０１２３】
スタートボタンが押下されると（ステップＳ８０２；Ｙ）、自動原稿送り装置２２にセットされている１枚目の用紙を繰り出し（ステップＳ８０３）、該用紙のマーク７１を検出する(ステップＳ８０４)。マーク７１がなければ（ステップＳ８０４；Ｎ）、ステップＳ８０１に戻る。この際、最初の頁としてダミー原稿７０を加える旨の警告を表示するとよい。
【０１２４】
マーク７１が検出された場合は(ステップＳ８０４；Ｙ)、該マーク７１の位置を検出して不揮発メモリ１４に記憶する（ステップＳ８０５）。このマーク位置は、最初のマーク位置であることを示す情報を付加して記憶されてもよい。
【０１２５】
次に、自動原稿送り装置２２で再利用紙１枚を繰り出して搬送し、その再利用紙１枚の画像を画像読取装置２１で読み取る（ステップＳ８０６）。この読み取った画像の余白領域を画像処理部１７で検出し（ステップＳ８０７）、その検出結果から余白領域データを作成し、頁番号などと対応付けて不揮発メモリ１４に記憶する（ステップＳ８０８）。
【０１２６】
その後、次頁の有無を判断し（ステップＳ８０９）、次頁があれば(ステップＳ８０９；Ｙ)、ステップＳ８１２へ移行する。次頁がなければ（ステップＳ８０９；Ｎ）、最終頁にダミー原稿７０が付加されていない旨の警告を表示する(ステップＳ８１０)。次頁がセットされるまで該警告を継続し（ステップＳ８１１；Ｎ）、次頁がセットされると（ステップＳ８１１；Ｙ）、ステップＳ８１２へ移行する。
【０１２７】
ステップＳ８１２では、自動原稿送り装置２２で次頁を繰り出し、その用紙のマーク７１を検出する。マーク７１がなければ（ステップＳ８１３；Ｎ）、ステップＳ８０６に戻って処理を継続する。
【０１２８】
マーク７１があれば、最後のダミー原稿７０であるので、そのマーク位置を検出して不揮発メモリ１４に記憶する（ステップＳ８１４）。このマーク位置は、最後のマーク位置であることを示す情報を付加して記憶されてもよい。その後、読み取り終えた再利用紙４０をダミー用紙７０を最初と最後に付加した状態のままで再利用紙給紙トレイ２５にセットする旨をユーザに指示して(ステップＳ８１５)処理を終了する（リターン）。
【０１２９】
なお、最後のマーク位置が最初のマーク位置と異なる場合は、警告を表示し、最初のマーク位置と同じになるように最後のダミー原稿７０の向きを直すようユーザに指示し、修正完了の確認操作をユーザから受けると、不揮発メモリ１４に記憶されている最後のマーク位置を最初のマーク位置と同じ位置となるように修正するようにされてもよい。
【０１３０】
図２８は、再利用印刷処理を示している。まず、用紙セット確認処理を行う（ステップＳ９０１）。その後ステップＳ９０２を行うが、その前に用紙セット確認処理の詳細を説明する。
【０１３１】
図２９は、用紙セット確認処理（図２８のステップＳ９０１）の詳細を示している。再利用紙給紙トレイ２５にセットされている１枚目の用紙を給紙し、マーク７１の有無を検出する（ステップＳ１００１）。この用紙にマーク７１がなければ（ステップＳ１００２；Ｎ）、エラー表示を行うと共に、再試行するか印刷を中止するかの選択操作をユーザから受け付ける（ステップＳ１００３）。ここで、印刷中止の操作を受けた場合は(ステップＳ１００４：印刷中止)、一連の処理（ジョブ）を終了する（エンド）。
【０１３２】
マーク７１が検出された場合は（ステップＳ１００２；Ｙ）、マーク７１の位置を検出し（ステップＳ１００５）、検出されたマーク位置と不揮発メモリ１４に記憶されている余白検出読み取り時のマーク位置とを比較する(ステップＳ１００６)。マーク位置が一致する場合は（ステップＳ１００７；Ｙ）、本処理を終了する（リターン）。不一致の場合は（ステップＳ１００７；Ｎ）、マーク位置の相違内容に応じて余白領域データを変換する（ステップＳ１００８）。ここでは、上下逆の場合は、余白領域の位置を、頁全体を１８０度回転させた場合の位置に変換する（前述の手法（Ａ）による）。表裏逆には前述の手法（Ｃ）で対応する。このため、表裏逆のための余白領域データの変換は行わない。
【０１３３】
また、表裏逆の場合は、表裏逆フラグを１にセットして(ステップＳ１００９)処理を終了する（リターン）。表裏逆フラグは「１」で表裏逆であることを「０」で表裏逆でないことを示す。表裏逆フラグは不揮発メモリ１４に記憶される。なお、本実施の形態では、再利用印刷時に１枚目に給紙されるダミー原稿７０によって再利用紙のセット状態を判断するので、表裏逆にセットされた場合にも対応可能なように、再利用紙の最初と最後にダミー原稿７０を付加して余白検出時の読み取りを行うようにしている。
【０１３４】
図２８に戻って説明を続ける。ステップＳ９０２では、図１４、図１５に示す処理（ステップＳ５０１からＳ５２３）と概ね同一の処理が行われる。相違点は以下である。図１５のステップＳ５０８において、表裏逆フラグ＝０の場合は余白管理テーブル６０の先頭から順に余白領域データを読み出して使用し、表裏逆フラグ＝１の場合は余白管理テーブル６０の末尾から先頭に向けて逆順に余白領域データを読み出して使用する。また、表裏逆フラグ＝１であって片面使用の場合は、ステップＳ５２２の「印刷」において、両面印刷パスを利用して、用紙を表裏反転させて給紙する。
【０１３５】
このほか、用紙セット確認の結果、上下反転と判定されていた場合には、ステップＳ５２０「余白位置に縮小画像配置」の処理を行う際に、画像を上下反転して配置するようにしてもよい。
【０１３６】
このように、余白検出読み取り時における再利用紙のセット状態と、再利用印刷時における再利用紙のセット状態とを比較し、これらが不一致の場合に、そのセット状態の違いに応じて余白領域データを変換して印刷するので、ユーザは用紙の向きや表裏に注意を払わずに気軽に再利用紙を再利用紙給紙トレイ２５へセットすることができ、利便性が向上する。
【０１３７】
なお、表裏逆にセットされた場合の対応として前述の手法（Ｄ）を使用する場合には、図２９のステップＳ１００８において、表裏逆の場合は、余白管理テーブル６０の余白領域データの並び順を逆にする。また手法（Ｄ）を使用する場合は、図１５のステップＳ５０８において表裏逆フラグの値に係らず、余白管理テーブル６０を先頭から順に読み出して使用すればよい。
【０１３８】
以上、本発明の各種実施の形態を図面によって説明してきたが、具体的な構成は実施の形態に示したものに限られるものではなく、本発明の要旨を逸脱しない範囲における変更や追加があっても本発明に含まれる。
【０１３９】
たとえば、余白領域に印刷した場合に、その印刷部分を枠で囲む、再利用紙に予め印刷されていた領域と余白領域との間に境界線を印刷する、再利用紙に予め印刷されていた領域に斜線などを施す、といった処理を施すようにしてもよい。再利用紙印刷モードで印刷した部分と元の印刷部分との区別が容易になる。
【０１４０】
また、再利用紙給紙トレイ２５は、固定の給紙トレイとされてもよいし、複数の中から任意の給紙トレイや手差しトレイを再利用紙給紙トレイ２５に選択可能に構成されてもよい。またマーク７１としてＲＦＩＤタグを使用する場合においては、再利用印刷時のセット状態を検知するセンサとしてのＲＦＩＤリーダを給紙トレイに設けて給紙トレイ内の用紙の４隅のどの位置にマーク７１が存在するかを検知できるようにすれば、再利用紙の最初と最後の両方にダミー原稿７０を付加する必要はなく、一方のみでかまわない。
【０１４１】
なお、マーク７１を検知するセンサを、各給紙トレイから繰り出された用紙が共通に通る給紙経路部分に設ければ、それら複数の給紙トレイに対して１個のセンサで済み、装置構成が簡略化される。
【０１４２】
また、第２の実施の形態では、マーク７１の位置を検出するようにしたが、予め定めた位置（たとえば、右上）にマーク７１が存在するか否かを検出し、検出されない場合はエラーとするように構成されてもよい。たとえば、余白検出読み取り時においては、１枚目の用紙が、右上（所定位置）にマーク７１の付加されたダミー原稿７０でない場合はエラーとして読み取り中止、もしくは再試行か読み取り中止かの選択を受ける構成にする。また、再利用印刷時においては、給紙１枚目が、右上（所定位置）にマーク７１の付加されたダミー原稿７０でない場合は、エラーとして印刷中止もしくは再試行か印刷中止かを選択可能とするように構成されてもよい。
【０１４３】
また、第２の実施の形態では、ステップＳ１００７で不一致の場合に余白領域データを変換するようにしたが、印刷を中止するように構成されてもよい。この際、ステップＳ１００３、Ｓ１００４のようにエラー表示を行い、印刷中止か再試行かの選択をユーザから受けるように構成することが好ましい。
【０１４４】
また、余白領域４１や画像領域４６は矩形領域としたが、矩形領域に限定されるものではなく、たとえば、余白や画像部分の外縁に沿った形状であってもかまわない。
【０１４５】
余白管理テーブル６０の構成は図１２に例示したものに限定されない、たとえば、余白管理テーブル６０の先頭からの登録順位が頁番号を示すならば頁番号の欄を設ける必要はない。また余白管理テーブル６０にヘッダ情報を設け、該ヘッダ情報に余白検出読み取り時のセット状態を示すセット情報を記憶するようにされてもよい。
【０１４６】
また、実施の形態では、図１８に示すように、余白検出読み取り時においても任意の向きにダミー原稿７０をセット可能なように検出センサ７２を複数設けたが、余白検出読み取り時におけるダミー原稿のセット位置を制限する場合は、それに対応可能な位置にのみ検出センサ７２を設ければよい。たとえば、図１８ではフィードされる用紙の幅方向の両端近傍に検出センサ７２を設けたが、一方の端部のみに設ける構成とされてもよい。
【符号の説明】
【０１４７】
１０…画像形成装置
１１…ＣＰＵ
１２…ＲＯＭ
１３…ＲＡＭ
１４…不揮発メモリ
１５…表示部
１６…操作部
１７…画像処理部
１８…通信部
１９…ハードディスク装置（ＨＤＤ）
２１…画像読取装置
２２…自動原稿送り装置
２３…プリンタ部
２４…通常給紙トレイ
２５…再利用紙給紙トレイ
２６…搬送部
２７…画像形成部
３０…モード設定画面
３１…原稿領域設定欄
３２…縮小率設定欄
４０…再利用紙
４１…余白領域
４５…原稿画像
４５ｂ…縮小画像
４５ｃ…１８０度回転させた縮小画像
４６…画像領域
５０…印刷モード選択画面
５１…通常印刷ボタン
５２…再利用紙印刷ボタン
５３…指示画面
５４…スタートボタン
５６…再利用紙を再利用紙給紙トレイへセットする旨の指示画面
５８…原稿セットの指示画面
５９…スタートボタン
６０…余白管理テーブル
７０…ダミー原稿
７１…マーク
７２…検出センサ
【図１】
2010206524.tif 000003
【図２】
2010206524.tif 000004
【図３】
2010206524.tif 000005
【図４】
2010206524.tif 000006
【図５】
2010206524.tif 000007
【図６】
2010206524.tif 000008
【図７】
2010206524.tif 000009
【図８】
2010206524.tif 000010
【図９】
2010206524.tif 000011
【図１０】
2010206524.tif 000012
【図１１】
2010206524.tif 000013
【図１２】
2010206524.tif 000014
【図１３】
2010206524.tif 000015
【図１４】
2010206524.tif 000016
【図１５】
2010206524.tif 000017
【図１６】
2010206524.tif 000018
【図１７】
2010206524.tif 000019
【図１８】
2010206524.tif 000020
【図１９】
2010206524.tif 000021
【図２０】
2010206524.tif 000022
【図２１】
2010206524.tif 000023
【図２２】
2010206524.tif 000024
【図２３】
2010206524.tif 000025
【図２４】
2010206524.tif 000026
【図２５】
2010206524.tif 000027
【図２６】
2010206524.tif 000028
【図２７】
2010206524.tif 000029
【図２８】
2010206524.tif 000030
【図２９】
2010206524.tif 000031